【事件の表示】
　平成　９年特許願第１８１２３６号「ＡＴＭ交換機の制御方式及びその方法」拒絶査定に対する審判事件［平成１１年　１月２９日出願公開、特開平１１−　２７２８７］について、次のとおり審決する。
【結　論】
　本件審判の請求は、成り立たない。
【理　由】
　１．手続の経緯、本願発明
　本願は、平成９年７月７日の出願であって、その請求項１に係る発明（以下、「本願発明」という。）は、平成１１年５月１３日付手続補正により補正された明細書および図面の記載からみて、特許請求の範囲の請求項１に記載された次のとおりのものである。
　
　【特許請求の範囲】
　　「【請求項１】　上位装置にＡＴＭ網を介して接続され、前記上位装置から送信される制御セルの内容にしたがって制御されるＡＴＭ交換機の制御方式であって、
　前記ＡＴＭ交換機に、
　予め定められた命令を含む制御セルを受信した場合に、該命令をハードウェアで実行する制御セルハードデコード部を有するＡＴＭ交換機の制御方式。」
　
　なお、平成１２年８月１０日付け手続補正は却下された。
　
　２．引用例
　原審の拒絶の理由に引用された特開平８−１６７９０７号公報（平成８年６月２５日公開、以下、「引用例１」という。）には、下記ア．、イ．が記載されている。
　
　ア．「【００１０】
　　【課題を解決するための手段】
　本発明のＡＴＭセル交換装置は、複数の入力セルハイウェイと、複数の出力セルハイウェイと、ＡＴＭスイッチと、制御セルを処理し、ＡＴＭスイッチにおいてコネクションの開設、開放、メンテナンス等を行う制御セル処理回路と、ＡＴＭスイッチの複数の入力セルハイウェイの各ハイウェイで、流入したセルが制御セル処理回路において終端する必要のある制御セルであるか、もしくは、スイッチングを行うユーザセルであるかを判定し、終端する必要のある制御セルである場合は制御セル分岐指示信号を出力する制御セル判定回路と、制御セル分岐指示信号により、制御セルを入力セルハイウェイから抜き出し入力制御セルとして、制御セル処理回路へ分岐させる制御セル分岐回路を有する。」（段落１０）、
　
　イ．「【００１７】
　入力セルハイウェイ１1 〜１n には制御セルとユーザセルが混在している。制御セル判定回路２1 〜２n はそれぞれ入力セルハイウェイ１1 〜１n 上のセルが制御セルであるか、ユーザセルであるかを判定し、制御セルであるならば制御セル分岐指示信号３1 〜３n を出力する。制御セル分岐回路４1 〜４n は制御セル分岐指示信号３1〜３n により制御セルを入力制御セルハイウェイ６1 〜６n に分岐させ、またユーザセルはスイッチ入力セルハイウェイ５1 〜５n に分岐させる。ＡＴＭスイッチ７はスイッチ入力セルハイウェイ５1 〜５n のスイッチング処理を行い、スイッチ出力セルハイウェイ１０1 〜１０n としてユーザセルの出力を行う。制御セル処理回路８は入力制御セルハイウェイ６1 〜６n 上の制御セルの終端処理を行い、出力制御セルハイウェイ９1 〜９n に制御セルを出力する。制御セルＦＩＦＯ１３1 〜１３n は制御セルＦＩＦＯ監視回路（図示せず）を備え、制御セルを一時的に蓄積し、蓄積量が一定値以上となった場合にＡＴＭスイッチ７に対して空きセル送出指示信号１４1 〜１４n を出力する。空きセル判定回路１１1 〜１１n はスイッチ出力セルハイウェイ１０1 〜１０n 上の空きセルを検出し、制御セル挿入指示信号１２1 〜１２n を出力する。制御セル挿入回路１６1 〜１６n は制御セル挿入指示信号１２1 〜１２n が入力された場合に制御セルＦＩＦＯ１３1 〜１３n の出力である出力制御セル１５1〜１５n をスイッチ出力セルハイウェイ１０1 〜１０n の空きセル部分に挿入し、出力セルハイウェイ１７1 〜１７n に出力する。
　　　【００１８】
　呼の開設等の制御セルが入力セルハイウェイ１1 〜１n 上に流入してきた場合、これが制御セル判定回路２1 〜２n により検出され、制御セル分岐空き回路４1 〜４n により入力制御セルハイウェイ６1 〜６n に分岐され、制御セル処理回路８で処理される。（段落１７、１８）。
　また、前記段落１０の記載において、ＡＴＭセル交換装置がＡＴＭ網を介して所定の装置に接続されていることは自明の事項である。
　また、前記段落１０の「コネクションの開設、開放、メンテナンス等を行う制御セル処理回路」及び段落１８の記載からみて、制御セルがコネクションの開設、開放、メンテナンス等の命令を含み、制御セル処理回路が該命令を実行することは自明の事項である。　
　
　前記記載事項及び、図面の記載並びに当該分野の技術常識を勘案すると、
引用例１には、
　「所定の装置にＡＴＭ網を介して接続され、前記所定の装置から送信されるコネクションの開設、開放、メンテナンス等の制御セルの内容にしたがって制御されるＡＴＭセル交換装置の制御方式であって、
　前記ＡＴＭセル交換装置において、
　コネクションの開設、開放、メンテナンス等の命令を含む制御セルを受信した場合、該命令を実行する制御セル処理回路を有するＡＴＭセル交換装置の制御方式。」を構成とする発明（以下、「引用例１に記載された発明」という。）が記載されている。
　
　３．対比・判断
　本願発明と引用例１に記載された発明とを対比すると、
　
　（ａ）本願発明の「上位装置」は、「所定の装置」である。　
　（ｂ）引用例１に記載された発明の「ＡＴＭセル交換装置」は、本願発明の「ＡＴＭ交換機」に相当する。
　（ｃ）また、本願発明の「予め定められた命令を含む制御セルを受信した場合に、該命令をハードウェアで実行する制御セルハードデコード部」と、引用例１に記載された発明における「コネクションの開設、開放、メンテナンス等の命令を含む制御セルを受信した場合、該命令を実行する部分コネクションの開設、開放、メンテナンス等の命令を含む制御セルを受信した場合、該命令を実行する制御セル処理回路」とは、「命令を含む制御セルを受信した場合、該命令を実行する処理回路」の点で一致する。
　
　そうしてみると、本願発明と引用例１に記載された発明とは、
　「所定の装置にＡＴＭ網を介して接続され、前記所定の装置から送信される制御セルの内容にしたがって制御されるＡＴＭ交換機の制御方式であって、
　前記ＡＴＭ交換機において、
　命令を含む制御セルを受信した場合、該命令を実行する処理回路を有するＡＴＭ交換機の制御方式。」、
である点において、一致し、
　
　（１）「所定の装置」について、本願発明が、「上位装置」であるのに対し、引用例１の記載された発明では、記載がない点、
　
　（２）「命令を含む制御セルを受信した場合、該命令を実行する処理回路」に関し、本願発明では、「予め定められた命令を含む制御セルを受信した場合に、該命令をハードウェアで実行する制御セルハードデコード部」を有するのに対し、引用例１に記載された発明には、このような記載がない点、で相違する。
　
　そこで、前記相違点（１）、（２）について検討する。
　相違点（１）について
　引用例１に記載された発明において、制御セルを送出する所定の装置を、上位装置とすることは当業者が容易に成し得る程度のことである。
　相違点（２）について
　予め定められた命令（例えば、リセット命令）を含む信号を受信した場合に、ハードウェアにより該信号を解読し、該信号に含まれる命令を実行することにより、ソフトウェアにしたがった処理の障害発生時においても、外部からの制御を可能とする技術は、本願出願前より周知であり（必要ならば、　例えば、特開昭５９−２７６４７号公報、特開平６−３３８９１９号公報、特開昭５０−５４２６２号公報、特開昭５７−８６９３３号公報参照）、引用例１に記載された発明において、「命令を含む制御セルを受信した場合、該命令を実行する処理回路」について、前記周知技術を考慮し、予め定められた命令を含む制御セルを受信した場合に、該命令をハードウェアで実行する制御セルハードデコード部、を有するようにする、ことは当業者が容易に成し得たことである。
　
　４．したがって、本願発明は、引用例１に記載された発明、周知技術に基いて当業者が容易に発明をすることができたものであるから、本願発明は、特許法第２９条第２項の規定により特許を受けることができない。
　よって、結論のとおり審決する。